(57)【要約】      （修正有）【課題】シャツの折り畳み形状をクリップや固定ピンを使用しないで維持し得るようにした保形台紙を提供する。【解決手段】シャツ１０の折り畳み形状の型となる台紙本体１と、折り畳んだシャツ１０の裾部分を台紙本体１の背面側に折り返して上方から挿し込むための扁平な隙間３を形成し得るよう台紙本体１の背面側に装着された付属台紙２とにより保形台紙を構成する。台紙本体１には、正面側に折り曲げて衿羽根１１と衿腰１２との間に挿し込み得る衿固定片６を頂部中央に備え、付属台紙２には、シャツ１０の両側部分を背面側に折り返した時に該両側部分を挟んで固定する主固定片７を形成する。主固定片７の両側にはシャツ１０の袖１３上端部を折り畳んだ時に該袖１３上端部の折り返し部分に挿し入れられた状態で該折り返し部分を挟んで固定する副固定片８，９を形成する。【選択図】図５
0003165910.tif 000002
【実用新案登録請求の範囲】
【請求項１】
シャツの折り畳み形状を維持するための保形台紙であって、
シャツの後身頃の上部に宛われて折り畳み形状の型となる台紙本体と、シャツの両側部分を前記台紙本体の背面側に折り返して固定した後に前記シャツの裾部分を前記台紙本体の背面側に折り返して上方から挿し込むための扁平な隙間を前記台紙本体の背面との間に形成し得るよう前記台紙本体の背面側に装着された付属台紙とからなり、
前記台紙本体は、正面側に折り曲げてシャツの背面側から衿羽根と衿腰との間に挿し込み得る衿固定片を頂部中央に備え、
前記付属台紙は、シャツの両側部分を背面側に折り返した時に該両側部分を挟んで固定する主固定片を上端を起点として切り起こし得るよう形成し、前記主固定片の両側にはシャツの袖上端部を折り畳んだ時に該袖上端部の折り返し部分に挿し入れられた状態で該折り返し部分を挟んで固定する副固定片を上端を起点として切り起こし得るよう形成していることを特徴とする保形台紙。
【請求項２】
台紙本体の上部両側に内側へ向けＵ字状に入り込む切欠部を形成し、付属台紙の上部両側に前記台紙本体の両切欠部に対し係止し得るよう外側へ向けＴ字状に張り出す係止片を備えたことを特徴とする請求項１に記載の保形台紙。
【請求項３】
主固定片及び各副固定片の両側辺にジグザグ形状を付したことを特徴とする請求項１又は２に記載の保形台紙。
【考案の詳細な説明】
【技術分野】
【０００１】
本考案は、シャツの折り畳み形状を維持するための保形台紙に関するものである。
【背景技術】
【０００２】
従来より、シャツを包装袋に装入して出荷する際には、シャツの後身頃の上部に保形台紙を宛い、該保形台紙を包み込むようにしてシャツを折り畳み、多数のクリップや固定ピンによりシャツを保形台紙に留め付けて折り畳み形状を固定した上で包装袋に装入して出荷するようにしているため、消費者が購入後に包装袋を開封してシャツを取り出した際には、きれいに折り畳まれた状態のシャツを手に入れることができる。
【考案の概要】
【考案が解決しようとする課題】
【０００３】
しかしながら、包装袋から取り出したシャツは、多数のクリップや固定ピンにより保形台紙に留め付けられているため、これらのクリップや固定ピンを一つずつ抜き取らなければならず、消費者にとっては、開封後にクリップや固定ピンを抜き取る作業が面倒であり、しかも、紙ごみと分別しなければならない多数の不燃ゴミが出ることも煩わしいことであった。
【０００４】
本考案は上述の実情に鑑みてなしたもので、シャツの折り畳み形状をクリップや固定ピンを使用しないで維持し得るようにした保形台紙を提供することを目的とする。
【課題を解決するための手段】
【０００５】
本考案は、シャツの折り畳み形状を維持するための保形台紙であって、シャツの後身頃の上部に宛われて折り畳み形状の型となる台紙本体と、シャツの両側部分を前記台紙本体の背面側に折り返して固定した後に前記シャツの裾部分を前記台紙本体の背面側に折り返して上方から挿し込むための扁平な隙間を前記台紙本体の背面との間に形成し得るよう前記台紙本体の背面側に装着された付属台紙とからなり、前記台紙本体は、正面側に折り曲げてシャツの背面側から衿羽根と衿腰との間に挿し込み得る衿固定片を頂部中央に備え、前記付属台紙は、シャツの両側部分を背面側に折り返した時に該両側部分を挟んで固定する主固定片を上端を起点として切り起こし得るよう形成し、前記主固定片の両側にはシャツの袖上端部を折り畳んだ時に該袖上端部の折り返し部分に挿し入れられた状態で該折り返し部分を挟んで固定する副固定片を上端を起点として切り起こし得るよう形成していることを特徴とするものである。
【０００６】
而して、シャツの後身頃の上部に台紙本体を宛い、該台紙本体の頂部の衿固定片を正面側に折り曲げてシャツの背面側から衿羽根と衿腰との間に挿し込むと、シャツの後身頃に対する台紙本体の位置が決まり、該台紙本体の背面側にシャツの両側部分を折り返す作業が行い易くなり、しかも、台紙本体の背面側に折り返したシャツの両側部分を固定する際に、付属台紙の主固定片を上端を起点として切り起こし、該主固定片でシャツの両側部分を挟み込ませて固定すると共に、シャツの袖上端部を折り畳む際に、付属台紙の副固定片を上端を起点として切り起こし、該副固定片を袖上端部の折り返し部分に挿し入れた状態とし、該折り返し部分を挟み込ませて固定すると、前記主固定片及び各副固定片によりシャツの折り畳み形状が維持されることになる。
【０００７】
特に袖上端部の折り返し部分を副固定片で固定するにあたり、該副固定片の隣の主固定片によりシャツの肩口付近を挟み込ませて固定した上で、袖上端部の折り返し部分に前記副固定片を挿し入れて固定すると、シャツの肩口付近から袖上端部までの範囲が、隣り合う主固定片と副固定片とにより表裏を互い違いに押え込まれ、斯かる状態でシャツの肩口付近から袖上端部までの範囲をしっかりと張って該袖上端部の折り返し部分を副固定片に掛けて挟み込ませると、主固定片と副固定片での押え込みが相乗的に高められて強固な固定状態が得られる。
【０００８】
このようにしてシャツの両側部分を台紙本体の背面側に折り返して固定した後、シャツの裾部分を前記台紙本体の下から背面側に折り返し、前記台紙本体の背面と付属台紙との間の扁平な隙間に上方から挿し込むと、シャツの折り畳み形状が完成して保形台紙に留め付けられた状態となる。
【０００９】
また、本考案においては、台紙本体の上部両側に内側へ向けＵ字状に入り込む切欠部を形成し、付属台紙の上部両側に前記台紙本体の両切欠部に対し係止し得るよう外側へ向けＴ字状に張り出す係止片を備えることが可能である。
【００１０】
このようにすれば、付属台紙の各係止片における幅の狭い基端部分を台紙本体の各切欠部に通して前記各係止片を台紙本体の正面側に係止させ、これにより付属台紙の背面側に台紙本体を装着することが可能となる。
【００１１】
更に、本考案においては、主固定片及び各副固定片の両側辺にジグザグ形状を付しておくと良く、このようにすれば、主固定片及び各副固定片の両側辺に対しシャツが滑り難くなり、シャツの折り畳み形状をより一層維持し易くなる。
【考案の効果】
【００１２】
上記した本考案の保形台紙によれば、下記の如き種々の優れた効果を奏し得る。
【００１３】
（Ｉ）本考案の請求項１に記載の発明によれば、シャツの折り畳み形状をクリップや固定ピンを使用しないで維持することができるので、従来の如き開封後にクリップや固定ピンを抜き取る作業が不要となり、しかも、紙ごみと分別しなければならない多数の不燃ゴミが出ることもなくなるため、消費者にとっての購入後の煩わしさを大幅に低減することができる。
【００１４】
（ＩＩ）本考案の請求項２に記載の発明によれば、付属台紙の各係止片における幅の狭い基端部分を台紙本体の各切欠部に通し、前記各係止片を台紙本体の正面側に係止させるだけで、付属台紙の背面側への台紙本体の装着を極めて簡便に行うことができる。
【００１５】
（ＩＩＩ）本考案の請求項３に記載の発明によれば、主固定片及び各副固定片の両側辺にジグザグ形状を付したことにより、主固定片及び各副固定片の両側辺に対しシャツを滑り難くすることができ、シャツの折り畳み形状をより一層維持し易くすることができる。
【図面の簡単な説明】
【００１６】
【図１】本考案の一形態例における台紙本体の背面図である。
【図２】本考案の一形態例における付属台紙の背面図である。
【図３】台紙本体に付属台紙を装着した状態を示す背面図である。
【図４】シャツの後身頃の上部に台紙本体を宛った状態を示す背面図である。
【図５】シャツの片側部分を背面側に折り返した状態を示す背面図である。
【図６】袖の畳み方を補足して説明する背面図である。
【図７】シャツの残りの片側部分を背面側に折り返した状態を示す背面図である。
【図８】シャツの裾部分を背面側の扁平な隙間に挿し込んだ状態を示す背面図である。
【図９】きれいに折り畳まれた状態となったシャツの正面図である。
【考案を実施するための形態】
【００１７】
以下本考案の実施の形態を図面を参照しつつ説明する。
【００１８】
本考案のシャツの折り畳み形状を維持するための保形台紙は、図１に示す台紙本体１と、図２に示す付属台紙２とからなり、図３に示す如く、台紙本体１の背面側（図３に図示されている側）に付属台紙２が装着されて該付属台紙２と前記付属台紙２の背面との間に扁平な隙間３が形成されるようになっている。
【００１９】
この付属台紙２と付属台紙２の背面との間に形成される扁平な隙間３は、シャツの両側部分を前記台紙本体１の背面側に折り返して固定した後に前記シャツの裾部分を前記台紙本体１の背面側に折り返して上方から挿し込むためのものであるが、その具体的な使用形態については後で図面を用いて詳述する。
【００２０】
また、図１〜図３に示している例では、台紙本体１の上部両側に、内側へ向けＵ字状に入り込む切欠部４（図示例では外側にガイド用の段差を付した例となっている）が形成されており、付属台紙２の上部両側には、前記台紙本体１の両切欠部４に対し係止し得るよう外側へ向けＴ字状に張り出す係止片５が備えられており、該各係止片５における幅の狭い基端部分を台紙本体１の各切欠部４に通して前記各係止片５を台紙本体１の正面側に係止させることで付属台紙２の背面側への台紙本体１の装着が成されるようにしてある。
【００２１】
更に、後で詳述している通り、前記台紙本体１は、シャツの後身頃の上部に宛われて折り畳み形状の型を成すようになっており、その頂部中央には、正面側（図３に図示されている面の裏側に相当する面の側）に折り曲げてシャツの背面側から衿羽根と衿腰との間に挿し込み得る衿固定片６が備えられている。
【００２２】
また、前記付属台紙２には、シャツの両側部分を背面側に折り返した時に該両側部分を挟んで固定する主固定片７が上端を起点として切り起こし得るよう形成されており、前記主固定片７の両側には、シャツの袖上端部を折り畳んだ時に該袖上端部の折り返し部分に挿し入れられた状態で該折り返し部分を挟んで固定する副固定片８，９が上端を起点として切り起こし得るよう形成されている。
【００２３】
尚、主固定片７及び各副固定片８，９の両側辺には、該両側辺に対しシャツが滑り難くなるようにジグザグ形状が付されており、ここに図示している例の場合は、主固定片７及び各副固定片８，９の下側辺や、付属台紙２の各係止片５の外側辺にもジグザグ形状が付されている。
【００２４】
図４〜図９は前述の台紙本体１と付属台紙２とからなる保形台紙にシャツ１０を留め付ける場合の具体的な使用形態を段階的に示したものであり、先ず図４に示す如く、シャツ１０の後身頃の上部に台紙本体１を宛い、該台紙本体１の頂部の衿固定片６を正面側に折り曲げてシャツ１０の背面側から衿羽根１１（図９参照）と衿腰１２（図９参照）との間に挿し込むと、シャツ１０の後身頃に対する台紙本体１の位置が決まり、該台紙本体１の背面側にシャツ１０の両側部分を折り返す作業が行い易くなる。
【００２５】
そして、図４中の一点鎖線に沿いシャツ１０の片側部分を袖１３を三つ折りに畳んだ状態で台紙本体１の背面側に折り返し、図５に示すように、付属台紙２の主固定片７を上端を起点として切り起こし、該主固定片７でシャツ１０の片側部分を挟み込ませて固定すると共に、シャツ１０の袖１３上端部を折り畳む際に、付属台紙２の一方の副固定片８を上端を起点として切り起こし、該副固定片８を袖１３上端部の折り返し部分に挿し入れた状態として該折り返し部分を挟み込ませて固定する。
【００２６】
この際、他方の副固定片９は、シャツ１０の残りの片側部分の固定に使用しなければならないため、固定した片側部分に被覆されないように主固定片７と共に切り起こしてシャツ１０の片側部分を一緒に挟み込ませるようにしてある。
【００２７】
尚、袖１３の畳み方に関し、シャツ１０の残りの片側部分の場合を例に補足して説明すると、先の図５中の一点鎖線に沿い袖１３上端部を折り返すと共に、図６に示す如く、袖１３を袖口付近で更に逆向きに折り返し、最終的に図６中の一点鎖線に沿いシャツ１０の残りの片側部分を台紙本体１の背面側に折り返すことで袖１３が三つ折りに畳まれた状態となる。
【００２８】
また、図６中の一点鎖線に沿いシャツ１０の残りの片側部分を台紙本体１の背面側に折り返した後、図７に示す如く、前記主固定片７でシャツ１０の残りの片側部分を挟み込ませて固定すると共に、他方の副固定片９を残りの袖１３上端部の折り返し部分に挿し入れた状態として該折り返し部分を挟み込ませて固定すると、前記主固定片７及び各副固定片８，９によりシャツ１０の折り畳み形状が維持されることになる。
【００２９】
特に袖１３上端部の折り返し部分を副固定片８，９で固定するにあたり、該副固定片８，９の隣の主固定片７によりシャツ１０の肩口付近を挟み込ませて固定した上で、袖１３上端部の折り返し部分に前記副固定片８，９を挿し入れて固定するようになっているため、シャツ１０の肩口付近から袖１３上端部までの範囲が、隣り合う主固定片７と副固定片８，９とにより表裏を互い違いに押え込まれ、斯かる状態でシャツ１０の肩口付近から袖１３上端部までの範囲をしっかりと張って該袖１３上端部の折り返し部分を副固定片８，９に掛けて挟み込ませると、主固定片７と副固定片８，９での押え込みが相乗的に高められて強固な固定状態が得られることになる。
【００３０】
このようにしてシャツ１０の両側部分を台紙本体１の背面側に折り返して固定した後、図７中の一点鎖線に沿いシャツ１０の裾部分を前記台紙本体１の下から背面側に折り返し、図８に示す如く、前記台紙本体１の背面と付属台紙２との間の扁平な隙間３に前記裾部分を上方から挿し込むと、シャツ１０の折り畳み形状が完成して保形台紙に留め付けられた状態となり、これを正面側から見ると、図９のように、きれいに折り畳まれて包装袋に装入可能な状態のシャツ１０としてできあがる。
【００３１】
従って、上記形態例によれば、シャツ１０の折り畳み形状をクリップや固定ピンを使用しないで維持することができるので、従来の如き開封後にクリップや固定ピンを抜き取る作業が不要となり、しかも、紙ごみと分別しなければならない多数の不燃ゴミが出ることもなくなるため、消費者にとっての購入後の煩わしさを大幅に低減することができる。
【００３２】
更に、台紙本体１の上部両側に内側へ向けＵ字状に入り込む切欠部４を形成し、付属台紙２の上部両側に前記台紙本体１の両切欠部４に対し係止し得るよう外側へ向けＴ字状に張り出す係止片５を備えた構成を採用すれば、付属台紙２の各係止片５における幅の狭い基端部分を台紙本体１の各切欠部４に通し、前記各係止片５を台紙本体１の正面側に係止させるだけで、付属台紙２の背面側への台紙本体１の装着を極めて簡便に行うことができる。
【００３３】
また、主固定片７及び各副固定片８，９の両側辺にジグザグ形状を付したことにより、主固定片７及び各副固定片８，９の両側辺に対しシャツ１０を滑り難くすることができ、シャツ１０の折り畳み形状をより一層維持し易くすることができる。
【００３４】
尚、本考案の保形台紙は、上述の形態例にのみ限定されるものではなく、台紙本体及び付属台紙の外形形状は必ずしも図面通りに形成しなくても良く、商品陳列時に消費者が手に取った時の風合い等を考慮して一部を切り欠いた形状を採用しても良いこと、その他、本考案の要旨を逸脱しない範囲内において種々変更を加え得ることは勿論である。
【符号の説明】
【００３５】
１  台紙本体
２  付属台紙
３  扁平な隙間
４  切欠部
５  係止片
６  衿固定片
７  主固定片
８  副固定片
９  副固定片
１０  シャツ
１１  衿羽根
１２  衿腰
１３  袖
【図１】
0003165910.tif 000003
【図２】
0003165910.tif 000004
【図３】
0003165910.tif 000005
【図４】
0003165910.tif 000006
【図５】
0003165910.tif 000007
【図６】
0003165910.tif 000008
【図７】
0003165910.tif 000009
【図８】
0003165910.tif 000010
【図９】
0003165910.tif 000011